(57)【要約】【課題】  サンプリングした土壌または土質試料から作成した供試体Ｓを加圧し、または加圧水を供給することにより供試体Ｓから染み出させた僅かな水を効率よく回収する。【解決手段】  供試体Ｓにろ紙７を介して面接触する液体回収用セル４の接触面に、前記染み出た水を捕捉して誘導するための捕捉誘導溝６を刻設すると共に、該捕捉誘導溝６に接続するよう液体回収用セル４の表面から裏面に貫通する回収孔５を穿設し、前記捕捉誘導溝６で捕捉誘導されて回収孔５に達した水を筒体２０で回収するようにした。【選択図】        図２
2006145273.tif 000002
【特許請求の範囲】
【請求項１】
供試体に含有する液体を回収するための回収装置であって、該回収装置は、供試体を加圧して前記含有する液体を染み出させるための加圧手段と、供試体に面接触させて前記染み出した液体を回収するための液体回収用セルとを備え、前記液体回収用セルには、供試体との接触面に形成され、前記染み出た液体を捕捉誘導する捕捉誘導溝と、該捕捉誘導溝に接続された回収路とが形成され、該回収路に達した液体を回収するように構成したことを特徴とする液体の回収装置。
【請求項２】
供試体を透過した液体を回収する回収装置であって、該回収装置は、供試体に液体を加圧供給して供試体から液体を透過させて染み出させるための加圧液体供給手段と、供試体に面接触して染み出た液体を回収するための液体回収用セルとを備えて構成され、前記液体回収用セルには、供試体との接触面に形成され、前記染み出た液体を捕捉誘導する捕捉誘導溝と、該捕捉誘導溝に接続された回収路とが形成され、該回収路に達した液体を回収するように構成したことを特徴とする液体の回収装置。
【請求項３】
請求項１または２において、回収用セルと供試体とのあいだに親水性シートが介在していることを特徴とする液体の回収装置。
【請求項４】
請求項１乃至３の何れかにおいて、供試体はサンプリングされた土質試料であることを特徴とする液体の回収装置。
【請求項５】
加圧または加圧液体の供給で供試体から染み出た液体を回収するための液体回収用セルであって、該液体回収用セルには、供試体に面接触する接触面と、該接触面に染み出た液体を捕捉誘導する捕捉誘導溝と、該捕捉誘導溝に接続された回収路とが形成され、該回収路に達した液体を回収するように構成したことを特徴とする液体回収用セル。
【請求項６】
請求項５において、液体回収用セルは平板材であることを特徴とする液体回収用セル。
【請求項７】
請求項５において、平板材は、一側面が供試体の接触面であり、回収路は、前記一側面から他側面に設けられた回収孔であることを特徴とする液体回収用セル。
【請求項８】
請求項４乃至７の何れかにおいて、回収用セルは、回収路が供試体接触面の中心に形成されているものであることを特徴とする液体回収用セル。
【請求項９】
請求項４乃至７の何れかにおいて、回収用セルは、回収路が供試体接触面の中心から等距離の位置に等角度ピッチで複数形成されているものであることを特徴とする液体回収用セル。
【請求項１０】
請求項４乃至９の何れかにおいて、捕捉誘導溝は、回収路を基準として放射状に複数形成されていることを特徴とする液体回収用セル。
【請求項１１】
請求項５乃至１０の何れかにおいて、捕捉誘導溝は、放射状の本流溝と、該本流溝から分岐される支流溝とで形成されていることを特徴とする液体回収用セル。
【請求項１２】
請求項１１において、本流溝は直線状であり、支流溝は本流溝を対称線として線対称に形成されていることを特徴とする液体回収用セル。
【請求項１３】
請求項１１または１２において、支流溝は直線であることを特徴とする液体回収用セル。
【請求項１４】
請求項１１または１２において、支流溝は、回収路を中心とする円弧であることを特徴とする液体回収用セル。
【請求項１５】
供試体に含有する液体を回収するための回収方法であって、該回収方法は、供試体を加圧することで供試体から染み出た液体を、供試体に面接触する液体回収用セルの該接触面に形成の捕捉誘導溝で捕捉して該捕捉誘導溝に接続される回収路に誘導し、該回収路に至った液体を回収するようにしたことを特徴とする液体の回収方法。
【請求項１６】
供試体を透過した液体を回収する回収方法であって、該回収方法は、供試体に液体を加圧供給することで供試体から透過して染み出た液体を、供試体に面接触する液体回収用セルの該接触面に形成の捕捉誘導溝で捕捉して該捕捉誘導溝に接続される回収路に誘導し、該回収路に至った液体を回収するようにしたことを特徴とする液体の回収方法。
【請求項１７】
請求項１５または１６において、液体回収用セルと供試体とのあいだに親水性シートが介在されていることを特徴とする液体の回収方法。
【請求項１８】
請求項１５乃至１７の何れかにおいて、供試体はサンプリングされた土質試料であることを特徴とする液体の回収方法。
【発明の詳細な説明】
【技術分野】
【０００１】
本発明は、特に微量水分を含む供試体や透水係数が小さい供試体等の各種供試体に含まれる液体の回収装置、液体回収用セルおよび液体の回収方法の技術分野に属するものである。
【背景技術】
【０００２】
今日、土壌等から供試体を作成し、該供試体に含有する微量の水等の液体を回収し、該回収した液体に含まれる成分の分析をすることが要求される場合がある。そしてこのような要求の一つとして、土砂災害の予測があげられる。土砂災害は、不安定な傾斜地に発生する地すべり、表層崩壊、がけ崩れ、土石流などによる災害がある。そして傾斜地での土砂災害は、斜面地盤の崩壊によって地盤の変位、つまり地盤の変状や移動が引き起こされることになり、このような地盤変位を測定する手法については、例えば高精度の電子測距・測角儀を用い、地盤変位のある地域からはずれた任意の位置を基準点として地盤変位が生じている区域に配した指標までの距離や角度の変化を測定して地盤変位を測定するようにしたもの（特許文献１参照）、あるいは地盤変位が生じている任意の位置の地盤に測定用の孔を掘り、ここに歪ケーブルを挿入し、地盤変位によって生じた歪量を計測することで地盤変位の測定をするようにしたもの（特許文献２参照）がある。
ところが前記従来のものは、高価な測定機器が必要であるうえ、実際に斜面崩壊が発生している最中または発生した後の地盤変位を測定するものであって、該地盤変位の発生を予知するものではない。しかもこのような地盤変位による土砂災害は、小規模であれば発生後においても、被害発生がないか、あっても殆ど影響がない範囲で対処ができるが、規模が大きいものについては、何らかの被害を生じた後での対処となる場合が多く、土砂災害を未然に防ぐことはできないのが現状である。
【０００３】
そこで本発明の発明者は、地すべり等の斜面崩壊による地盤変位の予測を、当該地盤を流れる地下水中に含まれるナトリウムイオン等の特定イオンの濃度が急激に上昇するような異常変化が認められた場合、これを地すべり等の斜面崩壊による地盤変位が発生する前兆であるとして予測する方法を提唱した（特許文献３参照）。これは、地すべり等の斜面崩壊が発生するときにはその地盤内部において土粒子の微視的な変位や破壊がすでに先行して生じている一方、土壌は効率的なイオン交換の場でもあり、土壌において地盤変位が発生する前兆として微視的な変位や破壊が起こることによって今までのイオン交換の環境が変化し、これが特定イオンの濃度の異常な変化となって現れるという推論に基づくものである。
前記地盤変位の予測方法は今までになく簡単なものでありながら信頼性が高いものであるとして評価されているが、このような特定イオンの濃度測定は、対象とする地盤から漏出した地下水を採取して行うことになる。
【特許文献１】特開平５−１１８８５１号公報
【特許文献２】特開平１０−８２６６７号公報
【特許文献３】特開２００２−３３９３７３号公報
【発明の開示】
【発明が解決しようとする課題】
【０００４】
ところで、サンプリングした土壌（供試体）に含まれる水のいま現在の特定イオンの濃度を測定することは、測定始点を決定したりするため重要となるが、このような供試体に含まれる水分は微量であるため、該供試体に圧力をかけて水を染み出させたとしても僅かであるから、特定イオンの濃度を測定するに足る量の水を回収するには大量の供試体から水を採取しなければならないという問題があり、ここに本発明が解決しようとする一つの課題がある。
また、供試体を透過する水に含有する特定イオンの濃度の変化を測定することは、供試体の経時的変化を認識するうえで重要であるが、自然状態で透過する水に含有する特定イオンの濃度を測定したのでは時間がかかりすぎるという問題がある。そこで供試体に水を加圧供給して強制的に水を透過させ、この透過した水を採取し、該採取した水に含有する特定イオンの濃度を測定することが提唱されるが、透水係数が１×１０−７ｃｍ  ｓ−１（センチメートル  秒のマイナス１乗）程度と小さい土壌においては、特定イオンの濃度を測定するに足るだけの水を採取するには長時間かかってしまうことになって作業性に劣るという問題がり、ここに本発明の解決すようとする別の課題がある。
さらにまた、前述したように地盤変位の予測をするような場合、地盤内部において先行して生じであろう土粒子の微視的な変位や破壊の発生を自然に待つのでは時間がかかりすぎ、このためこのような変位や破壊を積極的に生じさせる必要がある。そのためには、供試体自体を加圧して前記変位や破壊（歪み）を擬似的に発生させながら、水を加圧供給して透過した水に含有する特定イオンの濃度を経時的に測定することが必要となるが、このような装置は従来知られておらず、ここに本発明が解決しようとするさらに別の課題がある。
【課題を解決するための手段】
【０００５】
本発明は、上記の如き実情に鑑みこれらの課題を解決することを目的として創作されたものであって、請求項１の発明は、供試体に含有する液体を回収するための回収装置であって、該回収装置は、供試体を加圧して前記含有する液体を染み出させるための加圧手段と、供試体に面接触させて前記染み出た液体を回収するための液体回収用セルとを備え、前記液体回収用セルには、供試体との接触面に形成され、前記染み出した液体を捕捉誘導する捕捉誘導溝と、該捕捉誘導溝に接続された回収路とが形成され、該回収路に達した液体を回収するように構成したことを特徴とする液体の回収装置である。
請求項２の発明は、供試体を透過した液体を回収する回収装置であって、該回収装置は、供試体に液体を加圧供給して供試体から液体を透過して染み出させるための加圧液体供給手段と、供試体に面接触させて染み出た液体を回収するための液体回収用セルとを備えて構成され、前記液体回収用セルには、供試体との接触面に形成され、前記染み出た液体を捕捉誘導する捕捉誘導溝と、該捕捉誘導溝に接続された回収路とが形成され、該回収路に達した液体を回収するように構成したことを特徴とする液体の回収装置である。
請求項３の発明は、請求項１または２において、回収用セルと供試体とのあいだに親水性シートが介在していることを特徴とする液体の回収装置である。
請求項４の発明は、請求項１乃至３の何れかにおいて、供試体はサンプリングされた土質試料であることを特徴とする液体の回収装置である。
請求項５の発明は、加圧または加圧液体の供給により供試体から染み出た液体を回収するための液体回収用セルであって、該液体回収用セルには、供試体に面接触する接触面と、該接触面に染み出た液体を捕捉誘導する捕捉誘導溝と、該捕捉誘導溝に接続された回収路とが形成され、該回収路に達した液体を回収するように構成したことを特徴とする液体回収用セルである。
請求項６の発明は、請求項５において、液体回収用セルは平板材であることを特徴とする液体回収用セルである。
請求項７の発明は、請求項５において、平板材は、一側面が供試体の接触面であり、回収路は、前記一側面から他側面に設けられた回収孔であることを特徴とする液体回収用セルである。
請求項８の発明は、請求項４乃至７の何れかにおいて、回収用セルは、回収路が供試体接触面の中心に形成されているものであることを特徴とする液体回収用セルである。
請求項９の発明は、請求項４乃至７の何れかにおいて、回収用セルは、回収路が供試体接触面の中心から等距離の位置に等角度ピッチで複数形成されているものであることを特徴とする液体回収用セルである。
請求項１０の発明は、請求項４乃至９の何れかにおいて、捕捉誘導溝は、回収路を基準として放射状に複数形成されていることを特徴とする液体回収用セルである。
請求項１１の発明は、請求項５乃至１０の何れかにおいて、捕捉誘導溝は、放射状の本流溝と、該本流溝から分岐される支流溝とで形成されていることを特徴とする液体回収用セルである。
請求項１２の発明は、請求項１１において、本流溝は直線状であり、支流溝は本流溝を対称線として線対称に形成されていることを特徴とする液体回収用セルである。
請求項１３の発明は、請求項１１または１２において、支流溝は直線であることを特徴とする液体回収用セルである。
請求項１４の発明は、請求項１１または１２において、支流溝は、回収路を中心とする円弧であることを特徴とする液体回収用セルである。
請求項１５の発明は、供試体に含有する液体を回収するための回収方法であって、該回収方法は、供試体を加圧することで供試体から染み出た液体を、供試体に面接触する液体回収用セルの該接触面に形成の捕捉誘導溝で捕捉して該捕捉誘導溝に接続される回収路に誘導し、該回収路に至った液体を回収するようにしたことを特徴とする液体の回収方法である。
請求項１６の発明は、供試体を透過した液体を回収する回収方法であって、該回収方法は、供試体に液体を加圧供給することで供試体を透過して染み出た液体を、供試体に面接触する液体回収用セルの該接触面に形成の捕捉誘導溝で捕捉して該捕捉誘導溝に接続される回収路に誘導し、該回収路に至った液体を回収するようにしたことを特徴とする液体の回収方法である。
請求項１７の発明は、請求項１５または１６の何れかにおいて、液体回収用セルと供試体とのあいだに親水性シートが介在されていることを特徴とする液体の回収方法である。
請求項１８の発明は、請求項１５乃至１７の何れかにおいて、供試体はサンプリングされた土質試料であることを特徴とする液体の回収方法である。
【発明の効果】
【０００６】
請求項１または１５の発明にすることで、供試体中に含まれる水分が微量であっても、加圧した供試体から染み出た水を確実に回収することができる。
請求項２または１６の発明にすることで、透水係数が小さい供試体であっても、該供試体を透過して染み出た水を確実に回収することができる。
請求項３または１７の発明にすることで、供試体から染み出た液体が親水性シートを介して分散した状態で回収用セルの捕捉誘導溝に捕捉されるされることになり、捕捉性能が向上する。
請求項４または１８の発明にすることで、土質試料に含まれる液体、あるいは土壌を透過する液体が微量であっても確実に液体の回収をすることができる。
請求項５の発明にすることで、供試体から染み出た液体を効率よく捕捉誘導して回収することができる。
請求項６の発明にすることで、供試体と液体用回収セルとの接触が平滑な面となって供試体全体からより均一的な液体の染み出しが達成できる。
請求項７の発明にすることにより、回収路は、一側面から他側面に至る貫通した孔でよいことになって加工が簡単になる。
請求項８、９または１０の発明にすることにより、液体の平均的な回収ができることになる。
請求項１１の発明にすることにより、より効率のよい液体回収ができる。
請求項１２、１３または１４の発明にすることにより、さらに効率のよい液体回収ができる。
【発明を実施するための最良の形態】
【０００７】
次に、本発明の実施の形態について、図面を用いて説明する。図面において、１は供試体Ｓから水を回収するための回収装置であって、該回収装置１は、基台１ａに加圧用の容器２が支持されているが、該容器２には水が注入されており、容器２に設けられる水の排出路２ａを封止する状態で水の供給路２ｂから圧力を加えることで容器２内の圧力を調節できるようになっている。
【０００８】
前記容器２の底部２ｃにはペデスタル３が設けられ、該ペデスタル３上に、液体の回収用セル４が配設されている。この回収用セル４は、中央部（中心部）に表面（上面（一側面）であって本発明の接触面に相当する）から裏面（下面（他側面））に至るべく貫通した回収孔５が穿設された円盤状の平板材（例えばアクリル板）で構成され、その表面に捕捉誘導溝６が刻設されているが、その詳細は後述する。そしてこの回収用セル４の上面に、ろ紙（本発明の親水性シートに相当する）７を介在する状態で円柱状に整形された前記供試体（後述するようにサンプリングした土質試料）Ｓの底面が載せられ、さらに該供試体Ｓの上面にキャップ８が載せられる。そして前記ペデスタル３の上半部、供試体Ｓ全体、そしてキャップ８の下半部の外周面には供試体Ｓの崩壊（崩落）の防止および供試体Ｓを透過あるいは染み出す水の散逸を防止するための防止部材９が被着されているが、防止部材９としては、例えば延び弾性の小さいシリコーンチューブ等を挙げることができる。
前記キャップ８には水路１０が設けられ、該水路１０から水が供試体Ｓに加圧供給されるようになっている。
【０００９】
１１は前記キャップ８を加圧するための加圧装置であって、該加圧装置１１は、キャップ８の上面に下端が当接する加圧棒１２を備えて構成されるが、該加圧棒１２はベアリング１３により回動自在に容器天井板２ｄに支持されていると共に、クランプ１４によって回動を制御できるようになっている。加圧棒１２には荷重計１５、外部変位計１６が設けられるが、さらに加圧棒１２の上端部は載荷装置１７に連結されている。載荷装置１７は、電動モーター１８の駆動によりべべルギア機構１９を回転させ、これによって加圧棒１２を押し出してキャップ８の加圧をするようになっている。
【００１０】
前記供試体Ｓは、例えばある地域の土壌試料（泥岩）について、一辺が５００ｍｍの立方体の大きさでサンプリングし、これを整形して高さ５０ｍｍ、直径５０ｍｍの前記円柱状の供試体Ｓを製作する。また前記回収用セル４は、直径が前記供試体Ｓと同じ長さの平板円盤状であり、その中心に回収孔５が供試体Ｓの接触面である上面４ａから下面４ｂに至るよう貫通して形成されている。一方、上面４ａに刻設され、回収孔５の始端５ａに接続する捕捉誘導溝６は、回収孔５を中心として複数本（本実施の形態では８本）が放射状に設けられている。回収孔５の径、並びに捕捉誘導溝６の太さ、深さおよび長さは供試体Ｓから染み出てくる水の量によって適宜調節されるものである。一方、回収孔５の終端部５ｂは、前記始端５ａよりも大径になっていて、該大径部位に回収用の筒体（キャピラリー）２０が止着されている。この筒体２０は、前記ペデスタル３に設けた収容溝３ａに収容されるようになっている。
【００１１】
叙述のごとく構成された本発明の実施の形態において、供試体Ｓを、回収用セル４、ろ紙７が載置されたペデスタル３とキャップ８とのあいだにセット（防止部材９も被着しておく）し、容器２に水を充填した状態にして電動モーター１８を駆動してキャップ８を加圧していく。するとキャップ８とペデスタル３とのあいだに挟まれる供試体Ｓは加圧されることになって、該供試体Ｓに含有される水分は供試体Ｓの表面から染み出すことになるが、この染み出した水はろ紙７を湿らす状態で回収用セル４全体を濡らすことになり、これによって前記染み出した水は捕捉誘導溝６で捕捉されて回収孔５の始端まで誘導されたものが、さらに筒体２０に流れ込んで回収される。
【００１２】
このように、本発明が実施された形態においては、土壌のように含有する水分量が少ない供試体Ｓにおいて、これを加圧することで供試体Ｓから染み出させた水は、供試体Ｓの底面に面接触する回収用セル４の表面に設けた捕捉誘導路６で捕捉誘導されて回収孔５に達するため、染み出た水が僅かな水分量であっても、容易に回収することができる。そして該回収した水を直接、さらには濃縮、あるいは希釈したものを、イオンクロマトグラフィー等の分析装置で分析して特定イオンの濃度を測定することができる。
【００１３】
また、前記のようにセットされた供試体Ｓに水を供給することで該供試体Ｓを透過した水の回収をするには、供試体Ｓを位置ずれしない程度に加圧した状態で、水路１０から水を加圧供給する。これにより供試体Ｓを透過する水の透過速度および量が、前記単に圧縮しただけの場合よりも大きくなって回収できるため、透水係数が小さいものであっても、迅速で確実な透過水の回収ができることになる。
【００１４】
しかもこれらのものでは、回収用セル４と供試体Ｓとのあいだに親水性シートであるろ紙７が有るため、前記供試体Ｓから染み出た水がろ紙７で広く拡散された状態で回収用セル４に達して捕捉誘導され、回収されることになる結果、捕捉誘導溝６のない部位に染み出た水も確実に捕捉されることになって、回収効率が向上する。
【００１５】
そして供試体Ｓが土質試料である場合、前記回収した水に含まれるナトリウムイオン等の特定イオンの濃度を測定することで、供試体Ｓをサンプリングした箇所の土壌の性状、そして今後の土質試料の変位を予測することができる。
【００１６】
しかも前記回収用セル４は、板材を用い、その表面に捕捉誘導溝６を刻設すると共に、該捕捉誘導溝６に接続する回収孔５を表面から裏面に貫通するよう穿設することで簡単に形成できるため、低コストで提供できることになる。そしてこの回収用セル４は、供試体Ｓの接触面の中心に回収孔５が穿設され、該回収孔５に接続する状態で複数の捕捉誘導溝６が等角度ピッチで放射状に形成されているため、供試体Ｓから染み出た広い範囲の水を一箇所に集中させる状態で平均的に回収できることになって、回収用セルを多数の回収孔を穿設しただけで、捕捉誘導溝がない構造にした場合のように、染み出た僅かな水が多数の回収孔に分散して回収されることになってこれら水の寄せ集め回収が面倒、かつ、煩雑になってしまうことがない。
【００１７】
尚、本発明は前記実施の形態に限定されないものであることは勿論であって、供試体としては土質試料に限定されずコンクリート、木材等、適宜のものにおいて実施することかできることは勿論である。そして本発明は、含水率の小さい供試体や透水係数の小さい供試体について該供試体に含まれる水、供試体を透過する水を回収する場合に特に有効であるが、回収する液体としては水に限らず、有機溶媒のような液体であってもよいことは勿論であり、さらに液体を含む割合や透液係数の大きい供試体等に用いることも勿論できる。
【００１８】
さらにまた、前記回収用セルとしては、捕捉誘導溝について各種の形状にすることができるが、次のようなものを例示することができる。つまり図３（Ａ）（Ｂ）に示す第二および第三の実施の形態のものは、回収孔５が供試体接触面の中心Ｏから等距離の位置に、何れも等角度である１８０度ピッチ、あるいは１２０度ピッチで２個または３個形成されたものである。また図３（Ｃ）に示す第四の実施の形態のものは、回収孔５が９０度ピッチで４個形成されると共に、さらに供試体接触面の中心に回収孔５が形成されたものである。そしてこのようにすることで、複数個の回収孔５があることにより寄せ集め回収の手間がかかるが、回収孔の数としては少ないため殆んど問題になることはなく、より迅速で効率のよい液体の回収ができる。
【００１９】
まず、図４（Ａ）〜（Ｄ）に示す第五〜第八の実施の形態のものは、捕捉誘導路が、回収孔５に接続される本流溝６ａと該本流溝６ａから分岐される支流溝６ｂとで形成されたものであり、このうち第五および第六の実施の形態のものは、直線状の支流溝６ｂが、本流溝６ａを対称線として線対象に分岐したものであり、また第七の実施の形態のものは、直線状の支流溝６ｂが本流溝６ａから交互に分岐形成されたものであり、第八の実施の形態のものは、本流溝６ａから交互に分岐形成される支流溝６ｂが、回収孔５を中心として円弧状に分岐形成されたものである。そしてこのように支流溝６ｂがあることで、染み出た液体をより広範囲においてより効率よく回収することができる。
【００２０】
また、回収用セルの板厚を厚いものとしたり、回収路をＬ字形にして回収用セルの側面に至るように形成して回収路が長いものにしておけば、前記第一の実施の形態のように筒体２０を用いることなく、染み出た液体を回収路内に貯留する状態で回収することができ、そしてこの場合には、該貯留した液体をシリンジで吸引して取り出すようにしても実施することができる。
【図面の簡単な説明】
【００２１】
【図１】液体の回収装置の概略正面図である。
【図２】（Ａ）および（Ｂ）は第一の実施の形態の液体回収用セルの正面図および断面図である。
【図３】（Ａ）、（Ｂ）および（Ｃ）は第二、第三および第四の実施の形態の液体回収用セルの正面図である。
【図４】（Ａ）、（Ｂ）、（Ｃ）および（Ｄ）は第五、第六、第七および第八の実施の形態の液体回収用セルの正面図である。
【符号の説明】
【００２２】
１    液体の回収装置
４    回収用セル
５    回収孔
６    捕捉誘導溝
６ａ  本流溝
６ｂ  支流溝
７    ろ紙
１１    加圧装置
【図１】
2006145273.tif 000003
【図２】
2006145273.tif 000004
【図３】
2006145273.tif 000005
【図４】
2006145273.tif 000006